(57)【要約】  本発明は、リソース構成方法および装置、ならびにコンピュータ記憶媒体を開示し、残りの最小システム情報制御リソース集合および関連する同期情報ブロックが周波数分割多重モードで同じビームを占有する場合に、残りの最小システム情報制御リソース集合の構成がより柔軟になり、より多くのアプリケーションシナリオに適用できる。本発明によって提供されるリソース構成方法は、残りの最小システム情報制御リソース集合および関連する同期情報ブロックが、周波数分割多重モードで同じビームを占有することを決定するステップと、残りの最小システム情報制御リソース集合および関連する同期情報ブロックの構成パラメータを決定するステップとを備え、各同期情報ブロックバースト集合内のすべての同期情報ブロックに関連する残りの最小システム情報制御リソース集合の構成パラメータは、同じである。
2021503235.tif 000002
【特許請求の範囲】
【請求項１】
残りの最小システム情報制御リソース集合および関連する同期情報ブロックが、周波数分割多重モードで同じビームを占有することを決定するステップと、
残りの最小システム情報制御リソース集合および関連する同期情報ブロックの構成パラメータを決定するステップとを備え、
各同期情報ブロックバースト集合内のすべての同期情報ブロックに関連する残りの最小システム情報制御リソース集合の構成パラメータは、同じであることを特徴とするリソース構成方法。
【請求項２】
前記残りの最小システム情報制御リソース集合の構成パラメータは、
残りの最小システム情報制御リソース集合によって占有された帯域幅と、
残りの最小システム情報制御リソース集合周波数領域位置と、
残りの最小システム情報制御リソース集合によって占有された連続または不連続の時間領域シンボルの数と、
前記残りの最小システム情報制御リソース集合の時間領域位置とのうちの１つまたは組み合わせを含むことを特徴とする請求項１に記載のリソース構成方法。
【請求項３】
前記残りの最小システム情報制御リソース集合の時間領域位置は、関連する同期情報ブロックに関する相対オフセット値であることを特徴とする請求項２に記載のリソース構成方法。
【請求項４】
前記残りの最小システム情報制御リソース集合の時間領域開始位置は、関連する同期情報ブロックの開始シンボルと揃えられるか、または、前記残りの最小システム情報制御リソース集合の時間領域終了位置は、関連する同期情報ブロックの終了シンボルと揃えられることを特徴とする請求項３に記載のリソース構成方法。
【請求項５】
前記構成された残りの最小システム情報制御リソース集合および関連する同期情報ブロックの周波数領域位置は、次の関係のいずれかを満たす：
前記構成された残りの最小システム情報制御リソース集合および関連する同期情報ブロックによって共有される中心周波数領域位置であり、かつ前記構成された残りの最小システム情報制御リソース集合は２つの部分に分割され、関連する同期情報ブロック上下に対称的に分散され、
前記構成された残りの最小システム情報制御リソース集合全体の周波数領域位置は、関連する同期情報ブロックの周波数領域位置の下にあり、
前記構成された残りの最小システム情報制御リソース集合全体の周波数領域位置は、関連する同期情報ブロックの周波数領域位置の上にあることを特徴とする請求項１に記載のリソース構成方法。
【請求項６】
前記残りの最小システム情報制御リソース集合によって占有された連続または不連続の時間領域シンボルの数は、１、２、３、４、６または８であることを特徴とする請求項２に記載のリソース構成方法。
【請求項７】
前記残りの最小システム情報制御リソース集合占有帯域幅によって占有される帯域幅は、以下の集合{４８, ７２, ９６}、{２４, ３６, ４８}、{１６, ２４, ３２}、{１２, １８, ２４}、{８, １２, １６}および{６, ９, １２}のうちのいずれか１つであることを特徴とする請求項２に記載のリソース構成方法。
【請求項８】
前記残りの最小システム情報制御リソース集合および関連する同期情報ブロックの周波数領域位置相対オフセット粒度は所定値であることを特徴とする請求項１に記載のリソース構成方法。
【請求項９】
前記相対オフセット粒度は、異なる周波数帯域または周波数範囲において異なる値を有することを特徴とする請求項８に記載のリソース構成方法。
【請求項１０】
前記所定値は、ゼロ以上の数値であることを特徴とする請求項８に記載のリソース構成方法。
【請求項１１】
プログラム命令を格納するように構成されたメモリと、
メモリに格納されているプログラム命令を呼び出し、取得したプログラムに従って、以下のプロセスを実行するように構成されたプロセッサとを備え、
前記プロセッサは、残りの最小システム情報制御リソース集合および関連する同期情報ブロックが、周波数分割多重モードで同じビームを占有することを決定し、
残りの最小システム情報制御リソース集合および関連する同期情報ブロックの構成パラメータを決定し、各同期情報ブロックバースト集合内のすべての同期情報ブロックに関連する残りの最小システム情報制御リソース集合の構成パラメータは、同じであることを特徴とするリソース構成装置。
【請求項１２】
前記残りの最小システム情報制御リソース集合の構成パラメータは、
残りの最小システム情報制御リソース集合によって占有された帯域幅と、
残りの最小システム情報制御リソース集合周波数領域位置と、
残りの最小システム情報制御リソース集合によって占有された連続または不連続の時間領域シンボルの数と、
前記残りの最小システム情報制御リソース集合の時間領域位置とのうちの１つまたは組み合わせを含むことを特徴とする請求項１１に記載のリソース構成装置。
【請求項１３】
前記残りの最小システム情報制御リソース集合の時間領域位置は、関連する同期情報ブロックに関する相対オフセット値であることを特徴とする請求項１２に記載のリソース構成装置。
【請求項１４】
前記残りの最小システム情報制御リソース集合の時間領域開始位置は、関連する同期情報ブロックの開始シンボルと揃えられるか、または、前記残りの最小システム情報制御リソース集合の時間領域終了位置は、関連する同期情報ブロックの終了シンボルと揃えられることを特徴とする請求項１３に記載のリソース構成装置。
【請求項１５】
前記構成された残りの最小システム情報制御リソース集合および関連する同期情報ブロックの周波数領域位置は、次の関係のいずれかを満たす：
前記構成された残りの最小システム情報制御リソース集合および関連する同期情報ブロックによって共有される中心周波数領域位置であり、かつ前記構成された残りの最小システム情報制御リソース集合は２つの部分に分割され、関連する同期情報ブロック上下に対称的に分散され、
前記構成された残りの最小システム情報制御リソース集合全体の周波数領域位置は、関連する同期情報ブロックの周波数領域位置の下にあり、
前記構成された残りの最小システム情報制御リソース集合全体の周波数領域位置は、関連する同期情報ブロックの周波数領域位置の上にあることを特徴とする請求項１１に記載のリソース構成装置。
【請求項１６】
前記残りの最小システム情報制御リソース集合によって占有された連続または不連続の時間領域シンボルの数は、１、２、３、４、６または８であることを特徴とする請求項１２に記載のリソース構成装置。
【請求項１７】
前記残りの最小システム情報制御リソース集合占有帯域幅によって占有される帯域幅は、以下の集合：{４８, ７２, ９６}、{２４, ３６, ４８}、{１６, ２４, ３２}、{１２, １８, ２４}、{８, １２, １６}および{６, ９, １２}のうちのいずれか１つであるのうちの１つであることを特徴とする請求項１２に記載のリソース構成装置。
【請求項１８】
前記残りの最小システム情報制御リソース集合および関連する同期情報ブロックの周波数領域位置相対オフセット粒度は所定値であることを特徴とする請求項１１に記載のリソース構成装置。
【請求項１９】
前記相対オフセット粒度は、異なる周波数帯域または周波数範囲において異なる値を有することを特徴とする請求項１８に記載のリソース構成装置。
【請求項２０】
前記所定値は、ゼロ以上の数値であることを特徴とする請求項１8に記載のリソース構成装置。
【請求項２１】
残りの最小システム情報制御リソース集合および関連する同期情報ブロックが、周波数分割多重モードで同じビームを占有することを決定するように構成された第１のユニットと、
残りの最小システム情報制御リソース集合および関連する同期情報ブロックの構成パラメータを決定するように構成された第２のユニットとを備え、
各同期情報ブロックバースト集合内のすべての同期情報ブロックに関連する残りの最小システム情報制御リソース集合の構成パラメータは、同じであることを特徴とするリソース構成装置。
【請求項２２】
コンピュータに請求項１から請求項１０のいずれか一項に記載の方法を実行させるように構成されたコンピュータ実行可能命令を記憶することを特徴とする、コンピュータ記憶媒体。
【発明の詳細な説明】
【技術分野】
【０００１】
関連出願の相互参照
本出願は、２０１７年１１月１４日に中国特許局に提出し、出願番号が２０１７１１１２２９３４.２であり、発明名称が「リソース構成方法および装置、ならびにコンピュータ記憶媒体」との中国特許出願を基礎とする優先権を主張し、その開示の総てをここに取り込む。
【０００２】
本発明は、通信技術分野に関し、特にリソース構成方法および装置、ならびにコンピュータ記憶媒体に関する。
【背景技術】
【０００３】
最小システム情報（Ｍｉｎｉｍｕｍ ｓｙｓｔｅｍ ｉｎｆｏｒｍａｔｉｏｎ,  ＭＳＩ）は、端末が初期アクセスを行うために必要なシステム情報であり、最小システム情報の一部は、新しい無線（ＮＲ）−物理放送チャネル（Ｐｈｙｓｉｃａｌ  Ｂｒｏａｄｃａｓｔｉｎｇ  Ｃｈａｎｎｅｌ，  ＰＢＣＨ）を通じて送信され、略してＮＲ−ＰＢＣＨと呼ばれ、残りの最小システム情報（Ｒｅｍａｉｎｉｎｇ ｍｉｎｉｍｕｍ ｓｙｓｔｅｍ ｉｎｆｏｒｍａｔｉｏｎ, ＲＭＳＩ）はＮＲ−ＰＤＳＣＨを通じて送信されの制御下でデータを送受信するように構成される。さらに、ＲＭＳＩを送信するＮＲ−ＰＤＳＣＨは、ＮＲ−ＰＤＣＣＨによってスケジュールされる。このＮＲ−ＰＤＣＣＨ（ＲＭＳＩを搬送するためのＮＲ−ＰＤＳＣＨをスケジュールするために使用される）は、ＲＭＳＩ制御リソース集合（Ｃｏｎｔｒｏｌ Ｒｅｓｏｕｒｃｅ ｓｅｔ,  ＣＯＲＥＳＥＴ）の構成情報によって示される。ここで、ＲＭＳＩ ＣＯＲＥＳＥＴの構成情報は、ＮＲ−ＰＢＣＨを通じて送信される。現在の規格で説明されているように、ＲＭＳＩ ＣＯＲＥＳＥＴの構成情報の最大ビット幅は８ビットである。
【０００４】
各ＲＭＳＩ ＣＯＲＥＳＥＴは、１つの同期ブロック（ＳＳ Ｂｌｏｃｋ）に関連付けられている。ＲＭＳＩ ＣＯＲＥＳＥＴとＳＳブロックには２つの多重化モード、つまり周波数分割多重化（Ｆｒｅｑｕｅｎｃｙ Ｄｉｖｉｓｉｏｎ Ｍｕｌｔｉｐｌｅｘｉｎｇ，ＦＤＭ）と時分割多重化（Ｔｉｍｅ Ｄｉｖｉｓｉｏｎ Ｍｕｌｔｉｐｌｅｘｉｎｇ，ＴＤＭ）がある。ＳＳブロックに関連付けられたＲＭＳＩ ＣＯＲＥＳＥＴは、時間領域内にこのＳＳブロックと同じ数のシンボルを占有する。周波数分割多重化モードにより、ＲＭＳＩ ＣＯＲＥＳＥＴと関連するＳＳブロックを同じビームで送信できるようになり、アナログビームスキャンモードに非常に適している。
【発明の概要】
【発明が解決しようとする課題】
【０００５】
本発明の実施形態は、リソース構成方法および装置、ならびにコンピュータ記憶媒体を提供し残りの最小システム情報制御リソース集合および関連する同期情報ブロックが周波数分割多重モードで同じビームを占有する場合、残りの最小システム情報制御リソース集合の構成がより柔軟になり、より多くのアプリケーションシナリオに適用できる。
【課題を解決するための手段】
【０００６】
本発明の実施形態によって提供されるリソース構成方法は、
残りの最小システム情報制御リソース集合および関連する同期情報ブロックが、周波数分割多重モードで同じビームを占有することを決定するステップと、
残りの最小システム情報制御リソース集合および関連する同期情報ブロックの構成パラメータを決定するステップとを備え、
各同期情報ブロックバースト集合内のすべての同期情報ブロックに関連する残りの最小システム情報制御リソース集合の構成パラメータは、同じである。
【０００７】
この方法では、残りの最小システム情報制御リソース集合および関連する同期情報ブロックが、周波数分割多重モードで同じビームを占有することを決定し、残りの最小システム情報制御リソース集合および関連する同期情報ブロックの構成パラメータを決定し、各同期情報ブロックバースト集合内のすべての同期情報ブロックに関連する残りの最小システム情報制御リソース集合の構成パラメータは、同じである。それにより、残りの最小システム情報制御リソース集合および関連する同期情報ブロックが周波数分割多重モードで同じビームを占有する場合に、残りの最小システム情報制御リソース集合の構成がより柔軟になり、より多くのアプリケーションシナリオに適用できる。
【０００８】
任意選択で、前記残りの最小システム情報制御リソース集合の構成パラメータは、以下の１つまたは組み合わせを含む：
残りの最小システム情報制御リソース集合によって占有された帯域幅、
残りの最小システム情報制御リソース集合周波数領域位置、
残りの最小システム情報制御リソース集合によって占有された連続または不連続の時間領域シンボルの数、
前記残りの最小システム情報制御リソース集合の時間領域位置。
【０００９】
任意選択で、前記残りの最小システム情報制御リソース集合の時間領域位置は、関連する同期情報ブロックに関する相対オフセット値である。
【００１０】
任意選択で、前記残りの最小システム情報制御リソース集合の時間領域開始位置は、関連する同期情報ブロックの開始シンボルと揃えられるか、または、前記残りの最小システム情報制御リソース集合の時間領域終了位置は、関連する同期情報ブロックの終了シンボルと揃えられる。
【００１１】
任意選択で、前記構成された残りの最小システム情報制御リソース集合および関連する同期情報ブロックの周波数領域位置は、次の関係のいずれかを満たす：
前記構成された残りの最小システム情報制御リソース集合および関連する同期情報ブロックによって共有される中心周波数領域位置であり、かつ前記構成された残りの最小システム情報制御リソース集合は２つの部分に分割され、関連する同期情報ブロック上下に対称的に分散され、
前記構成された残りの最小システム情報制御リソース集合全体の周波数領域位置は、関連する同期情報ブロックの周波数領域位置の下にあり、
前記構成された残りの最小システム情報制御リソース集合全体の周波数領域位置は、関連する同期情報ブロックの周波数領域位置の上にある。
【００１２】
任意選択で、前記残りの最小システム情報制御リソース集合によって占有された連続または不連続の時間領域シンボルの数は、１、２、３、４、６または８である。
【００１３】
任意選択で、前記残りの最小システム情報制御リソース集合占有帯域幅によって占有される帯域幅は、以下の集合：{４８, ７２, ９６}、{２４, ３６, ４８}、{１６, ２４, ３２}、{１２, １８, ２４}、{８, １２, １６}および{６, ９, １２}のうちのいずれかの１つである。
【００１４】
任意選択で、前記残りの最小システム情報制御リソース集合および関連する同期情報ブロックの周波数領域位置相対オフセット粒度は所定値である。
【００１５】
任意選択で、前記相対オフセット粒度は、異なる周波数帯域または周波数範囲において異なる値を有する。
【００１６】
任意選択で、前記所定値は、ゼロ以上の数値である。
【００１７】
本発明の実施形態によって提供されるリソース構成装置は、
プログラム命令を格納するように構成されたメモリと、
メモリに格納されているプログラム命令を呼び出し、取得したプログラムに従って、以下のプロセスを実行するように構成されたプロセッサとを備え、
前記プロセッサは、残りの最小システム情報制御リソース集合および関連する同期情報ブロックが、周波数分割多重モードで同じビームを占有することを決定し、
残りの最小システム情報制御リソース集合および関連する同期情報ブロックの構成パラメータを決定し、各同期情報ブロックバースト集合内のすべての同期情報ブロックに関連する残りの最小システム情報制御リソース集合の構成パラメータは、同じである。
【００１８】
任意選択で、前記残りの最小システム情報制御リソース集合の構成パラメータは、
残りの最小システム情報制御リソース集合によって占有された帯域幅と、
残りの最小システム情報制御リソース集合周波数領域位置と、
残りの最小システム情報制御リソース集合によって占有された連続または不連続の時間領域シンボルの数と、
前記残りの最小システム情報制御リソース集合の時間領域位置とのうちの１つまたは組み合わせを含む。
【００１９】
任意選択で、前記残りの最小システム情報制御リソース集合の時間領域位置は、関連する同期情報ブロックに関する相対オフセット値である。
【００２０】
任意選択で、前記残りの最小システム情報制御リソース集合の時間領域開始位置は、関連する同期情報ブロックの開始シンボルと揃えられるか、または、前記残りの最小システム情報制御リソース集合の時間領域終了位置は、関連する同期情報ブロックの終了シンボルと揃えられる。
【００２１】
任意選択で、前記構成された残りの最小システム情報制御リソース集合および関連する同期情報ブロックの周波数領域位置は、次の関係のいずれかを満たす：
前記構成された残りの最小システム情報制御リソース集合および関連する同期情報ブロックによって共有される中心周波数領域位置であり、かつ前記構成された残りの最小システム情報制御リソース集合は２つの部分に分割され、関連する同期情報ブロック上下に対称的に分散され、
前記構成された残りの最小システム情報制御リソース集合全体の周波数領域位置は、関連する同期情報ブロックの周波数領域位置の下にあり、
前記構成された残りの最小システム情報制御リソース集合全体の周波数領域位置は、関連する同期情報ブロックの周波数領域位置の上にある。
【００２２】
任意選択で、前記残りの最小システム情報制御リソース集合によって占有された連続または不連続の時間領域シンボルの数は、１、２、３、４、６または８である。
【００２３】
任意選択で、前記残りの最小システム情報制御リソース集合占有帯域幅によって占有される帯域幅は、以下の集合：{４８, ７２, ９６}、{２４, ３６, ４８}、{１６, ２４, ３２}、{１２, １８, ２４}、{８, １２, １６}および{６, ９, １２}のうちのいずれか１つである。
【００２４】
任意選択で、前記残りの最小システム情報制御リソース集合および関連する同期情報ブロックの周波数領域位置相対オフセット粒度は所定値である。
【００２５】
任意選択で、前記相対オフセット粒度は、異なる周波数帯域または周波数範囲において異なる値を有する。
【００２６】
任意選択で、前記所定値は、ゼロ以上の数値である。
【００２７】
本発明の実施形態によって提供される別のリソース構成装置は、
残りの最小システム情報制御リソース集合および関連する同期情報ブロックが、周波数分割多重モードで同じビームを占有することを決定するように構成された第１のユニットと、
残りの最小システム情報制御リソース集合および関連する同期情報ブロックの構成パラメータを決定するように構成された第２のユニットとを備え、
各同期情報ブロックバースト集合内のすべての同期情報ブロックに関連する残りの最小システム情報制御リソース集合の構成パラメータは、同じである。
【００２８】
本発明の他の実施形態によって提供されるコンピュータ記憶媒体は、前記コンピュータに上記いずれかの方法を実行させるように構成されたコンピュータ実行可能命令を記憶することを特徴とするコンピュータ記憶媒体である。
【図面の簡単な説明】
【００２９】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００３０】
【図１】本発明の実施形態によって提供される周波数分割多重モードにおけるＲＭＳＩ ＣＯＲＥＳＥＴ構成方法の概略図である。
【図２】本発明の実施形態によって提供されるＳＳブロックサブキャリア間隔（ｓｕｂｃａｒｒｉｅｒ ｓｐａｃｉｎｇ，ＳＣＳ）およびＲＭＳＩ ＣＯＲＥＳＥＴ ＳＣＳがそれぞれ{１５，１５}、{３０,３０}、{１２０,１２０}ｋＨｚとして構成される場合のＦＤＭ構成方法の概略図である。
【図３】本発明の実施形態によって提供されるＳＳブロック（ＳＣＳ）およびＲＭＳＩ ＣＯＲＥＳＥＴ ＳＣＳが{１５，３０}ｋＨｚとして構成される場合のＦＤＭ構成方法の概略図である。
【図４】本発明の実施形態によって提供されるＳＳブロック（ＳＣＳ）およびＲＭＳＩ ＣＯＲＥＳＥＴ ＳＣＳがそれぞれ{３０，３１５}、{６０，３０}、{２４０，１２０}ｋＨｚとして構成される場合のＦＤＭ構成方法の概略図である。
【図５】本発明の実施形態によって提供されるＳＳブロック（ＳＣＳ）およびＲＭＳＩ ＣＯＲＥＳＥＴ ＳＣＳが{２４０，６０}ｋＨｚとして構成される場合のＦＤＭ構成方法の概略図である。
【図６】本発明の実施形態によって提供される周波数分割多重モードにおいて、ＲＭＳＩ ＣＯＲＥＳＥＴの周波数領域オフセットが１ビットによって示され、０であるシナリオの概略図である。
【図７】本発明の実施形態によって提供される周波数分割多重モードにおいて、ＲＭＳＩ ＣＯＲＥＳＥＴ周波数領域オフセットが１ビットによって示され、１であるシナリオの概略図である。
【図８】本発明の実施形態によって提供されるリソース構成方法のフロー概略図である。
【図９】本発明の実施形態によって提供されるリソース構成装置の構造概略図である。
【図１０】本発明の実施形態によって提供される別のリソース構成装置の構造概略図である。
【発明を実施するための形態】
【００３１】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００３２】
本発明の技術案は多様な通信システムに応用することができる。例えば、ＧＳＭ（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）新しい無線（Ｎｅｗ ｒａｄｉｏ，ＮＲ）等に応用できる。
【００３３】
また、本発明に係る実施例において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザ設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザ設備は、ＭＴ（Ｃｅｌｌｕｌａｒ  ｐｈｏｎｅとも呼ばれる）、無線通信機能を有するコンピュータなどを含むこともできる。ユーザ設備は、携帯式、ポケット式、手持ち式、コンピュータに内蔵されるかまたは、車載の移動装置であることもできる。
【００３４】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とアクセスネットワークの他の部分間のルーターとすることができる。ここで、アクセスネットワークの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）、または５Ｇ ＮＲにおける基地局（ｇＮＢ）であってもよいが、本発明をそれに限定しない。
【００３５】
本発明の実施形態は、リソース構成方法および装置、ならびにコンピュータ記憶媒体を提供して、残りの最小システム情報制御リソース集合および関連する同期情報ブロックが周波数分割多重モードで同じビームを占有する場合に、残りの最小システム情報制御リソース集合の構成がより柔軟になり、より多くのアプリケーションシナリオに適用できる。
【００３６】
本発明の実施形態によって提供される技術的解決策では、ＲＭＳＩ ＣＯＲＥＳＥＴおよび関連するＳＳブロックは、周波数分割多重モードを採用する。図1を参照すると、周波数領域では、ＲＭＳＩ ＣＯＲＥＳＥＴは、ＳＳブロックの両側に対称的かつコンパクトに分散された２つの部分に等分される。時間領域では、ＲＭＳＩ ＣＯＲＥＳＥＴおよび関連するＳＳブロックは同じ数のシンボルを占有する。ここで、ＲＭＳＩ ＣＯＲＥＳＥＴおよび関連するＳＳブロックは、ＳＳブロックに含まれるＰＢＣＨを通じてＲＭＳＩ ＣＯＲＥＳＥＴの構成情報が通知されるため、当該ＲＭＳＩ ＣＯＲＥＳＥＴは、当該ＳＳブロックに関連付けられる。
【００３７】
いくつかの特別な設計は、いくつかのアプリケーションシナリオで必要とされる。たとえば、ＮＲ（Ｎｅｗ ｒａｄｉｏ）テクノロジでは、ＳＳブロックが帯域幅の中心位置にない場合があるため、上記の図1に示される構成方法（ＳＳブロックの両側を均一、対称、コンパクトに配置）では、問題が発生する場合がある。別の例では、隣接セルの干渉を回避するために、ＲＭＳＩ ＣＯＲＥＳＥＴおよびＳＳブロックは交代に配置され、周波数領域で隣接するセル間でオーバーラップしない。
【００３８】
システム帯域幅がＳＳブロックの帯域幅より大きい場合、ＲＭＳＩ ＣＯＲＥＳＥＴおよびＳＳブロックは、図２に示されるように、周波数分割多重化モードを採用することができる。
【００３９】
単一ビームおよびマルチビームのシナリオに関係なく、ＲＭＳＩ ＣＯＲＥＳＥＴおよび関連するＳＳブロックは、同じビームを介して送信される。端末は、ＳＳブロックを監視しながら、対応するＲＭＳＩ ＣＯＲＥＳＥＴを監視する。特にシミュレートされたビームスキャンシナリオでは、ＲＭＳＩ ＣＯＲＥＳＥＴおよび関連するＳＳブロックは、同じビームを介して送信されるため、ＲＭＳＩ ＣＯＲＥＳＥＴを送信するために追加の時間領域シンボルリソースは必要ない。
【００４０】
さらに、ＳＳブロックサブキャリア間隔（ｓｕｂｃａｒｒｉｅｒ ｓｐａｃｉｎｇ，ＳＣＳ）およびＲＭＳＩ ＣＯＲＥＳＥＴ ＳＣＳは、同じであっても異なっていてもよい。ＳＳブロック（ＳＣＳ）およびＲＭＳＩ ＣＯＲＥＳＥＴ ＳＣＳ構成集合を表1に示し、図２と３に示す：
【００４１】
【表１】
2021503235.tif 000003
【００４２】
図２から５では、「Ａ」はＲＭＳＩ ＣＯＲＥＳＥＴによって占有される帯域幅である。物理リソースブロック（Ｐｈｙｓｉｃａｌ Ｒｅｓｏｕｒｃｅ Ｂｌｏｃｋ，ＰＲＢ）は粒度である。「Ｂ」は、ＲＭＳＩ ＣＯＲＥＳＥＴによって占有される連続時間領域シンボルの数である。「Ｄ」は、ＰＲＢが粒度である端末の最小キャリア帯域幅である。「ａ」は、ＳＳブロックが占有する帯域幅である。「ｂ」は、ＳＳブロックによって占有される時間領域シンボルの数である。また、「ｃ」は、ＳＳブロックに対するＲＭＳＩ ＣＯＲＥＳＥＴの周波数領域オフセットのインデックスであり、ＰＲＢも粒度である場合がある。
【００４３】
同じ中心キャリア周波数で、ＳＳブロックバースト（ｂｕｒｓｔ）集合内のすべてのＳＳブロック内のＮＲ−ＰＢＣＨは、ＳＳブロックインデックスを除いて同じ内容を運ぶ。したがって、ＲＭＳＩ ＣＯＲＥＳＥＴおよびＳＳブロックがＦＤＭまたはＴＤＭを採用しているかどうかに関係なく、ＳＳブロックバースト内のすべてのＳＳブロックに関連付けられたＲＭＳＩ ＣＯＲＥＳＥＴは同じ構成（たとえば、同じ占有帯域幅、周波数領域の位置、同じ中心キャリア波周波数での占有時間領域シンボルなど）を有する。
【００４４】
したがって、任意選択で、ＲＭＳＩ ＣＯＲＥＳＥＴおよびＳＳブロックがＦＤＭモードまたはＴＤＭモードを採用するかどうかに関係なく、同じ中心キャリア周波数で、１つのＳＳブロックバースト内の各ＳＳブロックに関連するＲＭＳＩ ＣＯＲＥＳＥＴは、以下のような同じ構成パラメータを有する：
◎ＲＭＳＩ ＣＯＲＥＳＥＴによって占有される帯域幅（図２で「Ａ」と表示）
◎ＲＭＳＩ ＣＯＲＥＳＥＴ 周波数領域位置
◎ＲＭＳＩ ＣＯＲＥＳＥＴによって占有される連続または不連続の時間領域シンボルの数（図２で「Ｂ」と表示）
【００４５】
ＲＭＳＩ ＣＯＲＥＳＥＴにより占有される各時間領域シンボル上に同じ占有帯域幅が存在すると仮定される、すなわち、「Ａ」は、ＲＭＳＩ ＣＯＲＥＳＥＴにより占有される各時間領域シンボル上に同じ値である。したがって、ＲＭＳＩ ＣＯＲＥＳＥＴによって占有されるＰＲＢの総数は、たとえば次の式を使用して計算できる。
【００４６】
ＲＭＳＩ ＣＯＲＥＳＥＴによって占有されるＰＲＢの総数 = 各時間領域シンボルの占有帯域幅×占有される連続時間領域シンボルの数=「Ａ」×「Ｂ」。
【００４７】
さらに、ＦＤＭモードの場合、ＲＭＳＩ ＣＯＲＥＳＥＴによって占有される連続時間領域シンボルの数は、例えば、「Ｂ」＝ ４のように、ＳＳブロックと同じになるように構成されてもよい。帯域幅は十分に大きいため、ＲＭＳＩ ＣＯＲＥＳＥＴによって占有される連続時間領域シンボルの数もＳＳブロックのとは異なる場合がある。さらに、周波数領域帯域幅の割り当て、定義、構成、およびＲＭＳＩ ＣＯＲＥＳＥＴによって占有される連続時間領域シンボルの数と比較して、必要なＰＲＢの数に基づいて複数のパラメータ集合を定義する方が効果的である{占有される連続または非連続の数時間領域シンボル、占有帯域幅}。
【００４８】
同時に、ＲＭＳＩスケジューリングを運ぶＮＲ−ＰＤＣＣＨの信頼できる送信が考慮される。ＮＲ-PＤＣＣＨのアグリゲーションレベル８をサポートするには、ＮＲ-PＤＣＣＨによって占有されるＰＲＢの総数が少なくとも４８ ＰＲＢである必要がある。したがって、たとえば、ＮＲ-PＤＣＣＨによって占有されるＰＲＢの総数の候補集合は、{４８,７２,９６} ＰＲＢである。
【００４９】
ＲＭＳＩ ＣＯＲＥＳＥＴおよび関連するＳＳブロックが周波数分割多重モードを採用する場合、ＲＭＳＩ ＣＯＲＥＳＥＴ構成情報は、少なくともパラメータ集合｛占有帯域幅、占有された連続または不連続の時間領域シンボルの数｝を含む。
【００５０】
例えば、ＲＭＳＩ ＣＯＲＥＳＥＴおよび関連するＳＳブロックが周波数分割多重化モードを採用する場合、ＲＭＳＩ ＣＯＲＥＳＥＴ構成情報は、以下の表２に示すように、パラメータ集合｛占有帯域幅、占有される連続または不連続時間領域シンボルの数｝を含むことができる。
【００５１】
【表２】
2021503235.tif 000004
【００５２】
ＮＲ−ＰＢＣＨによって運ばれるＲＭＳＩ ＣＯＲＥＳＥＴ構成情報のビット数を最小化するために、ＲＭＳＩ ＣＯＲＥＳＥＴの時間領域位置は、関連するＳＳブロックに対する相対的なオフセット値であり得る。ＲＭＳＩ ＣＯＲＥＳＥＴ時間領域開始位置は、ＳＳブロック開始シンボルと揃えられるか、または、ＲＭＳＩ ＣＯＲＥＳＥＴ時間領域終了位置は、ＳＳブロック終了シンボルと揃えられる。このようにして、ＲＭＳＩ ＣＯＲＥＳＥＴによって占有される連続時間領域シンボルの数がどのように構成されていても、ＲＭＳＩ ＣＯＲＥＳＥＴの時間領域位置がＳＳブロックによって占有されるシンボル内にあることを保証できる。
【００５３】
したがって、任意選択で、ＲＭＳＩ ＣＯＲＥＳＥＴおよび関連するＳＳブロックが周波数分割多重化モードを採用する場合、ＲＭＳＩ ＣＯＲＥＳＥＴの時間領域位置は、関連するＳＳブロックに対する相対オフセット値である。ＲＭＳＩ ＣＯＲＥＳＥＴ時間領域開始位置は、ＳＳブロック開始シンボルと揃えられるか、または、ＲＭＳＩ ＣＯＲＥＳＥＴ時間領域終了位置は、ＳＳブロック終了シンボルと揃えられる。
【００５４】
以下の内容は、ＳＳブロック（ＳＣＳ）およびＲＭＳＩ ＣＯＲＥＳＥＴ ＳＣＳのすべての構成集合は、ＲＭＳＩのすべての｛占有帯域幅、占有される連続または不連続時間領域シンボルの数｝構成集合を含む、すべてのケースをサポートする。
【００５５】
ＲＭＳＩ ＣＯＲＥＳＥＴの周波数領域位置は、関連するＳＳブロックに対する周波数領域オフセット位置によって特定されるべきである。具体的には、達成する多くの方法がまだある。例えば、基準点は、それぞれ、ＲＭＳＩ ＣＯＲＥＳＥＴによって占有される帯域幅およびＳＳブロックによって占有される帯域幅の中心位置、開始位置または終了位置であり得る。ＦＤＭモードでは、図２に示すように、３種類の相対関係が考慮される。
【００５６】
図２（ａ）：ＲＭＳＩ ＣＯＲＥＳＥＴおよび関連するＳＳブロックは、中心周波数領域の位置を共有する。
【００５７】
図２（ｂ）：ＲＭＳＩ ＣＯＲＥＳＥＴの周波数領域の位置は、関連するＳＳブロックの周波数領域の位置の下にある。
【００５８】
図２（ｃ）：ＲＭＳＩ ＣＯＲＥＳＥＴの周波数領域の位置は、関連するＳＳブロックの周波数領域の位置の上にある。
【００５９】
したがって、任意選択で、ＲＭＳＩ ＣＯＲＥＳＥＴおよび関連するＳＳブロックが周波数分割多重化モードを採用する場合、それらの間の周波数領域位置関係は、以下の関係のうちの１つであり得る。
【００６０】
ＲＭＳＩ ＣＯＲＥＳＥＴおよび関連するＳＳブロックは中心位置を共有する。つまり、ＲＭＳＩ ＣＯＲＥＳＥＴの半分は関連するＳＳブロックの上にあり、もう半分は関連するＳＳブロックの下にあり、２つの半分はＳＳブロックの両側に対称的に配置されている。たとえば、図２（ａ）では、ＳＳＢ０（ＳＳブロックの略）の２つの側のＣＳ０（ＲＭＳＩ ＣＯＲＥＳＥＴの略）は完全なＣＳ０を構成し、これらの２つのＣＳ０はＳＳＢ０の両側に対称的に分布している。つまり、これら２つのＣＳ０の中心は、ＳＳＢ０の中心と重合する（他の実施形態にも同じことが当てはまり、後で繰り返さない）。
【００６１】
ＲＭＳＩ ＣＯＲＥＳＥＴ全体は、関連するＳＳブロックの下にある。たとえば、図２（ｃ）では、ＣＳ０は関連するＳＳ０の下に配置されている（同じことが他の実施形態にも適用可能であり、後で繰り返されない）。
【００６２】
ＲＭＳＩ ＣＯＲＥＳＥＴ全体は、関連するＳＳブロックの上にある。たとえば、図２（ｂ）では、ＣＳ０は関連するＳＳ０の上に配置されている（同じことが他の実施形態にも適用可能であり、後で繰り返されない）。
【００６３】
ＮＲ−ＰＢＣＨによって運ばれるＲＭＳＩ ＣＯＲＥＳＥＴ構成情報のビット数を最小化するため、およびより大きな最小端末帯域幅をサポートするために、図２の周波数領域オフセットパラメータ「ｃ」の粒度が1つのＰＲＢではなく、複数のＰＲＢになる場合がある。この粒度は、周波数帯域の最小端末帯域幅または最大キャリア周波数帯域幅に従って決定することもできる。さらに、端末固有のＲＲＣシグナリングによって通知されるＣＯＲＥＳＥＴの周波数領域割り当て情報を考慮して、リソースブロックグループ（ＲＢＧ）ビットマッピングモードが採用されている場合、各ＲＢＧ = ６ ＲＰＢなので、周波数領域の粒度ここでのオフセットパラメータ「ｃ」は、６つのＰＲＢとして決定することもできる。
【００６４】
したがって、任意選択で、ＲＭＳＩ ＣＯＲＥＳＥＴおよび関連するＳＳブロックが周波数分割多重化モードを採用する場合、それらの周波数領域位置間の相対オフセットの粒度は、規格によって事前定義され得る。すなわち、ｃは所定値である。異なる値が異なる周波数帯域または周波数範囲に使用される場合がある。たとえば、端末の最小帯域幅が小さい場合、粒度は1 ＰＲＢになる。また、端末の最小帯域幅が大きい場合、粒度は複数のＰＲＢ、たとえば６つのＰＲＢになる。一般に、周波数領域の位置表示は最大２ビットで通知される。さらに、1ビットの周波数領域オフセットパラメータのみを使用して、周波数領域の最小オフセット間隔と最大オフセット間隔を示すことができる。
【００６５】
例えば、周波数領域位置指示が１ビット｛０，１｝によって示されるとき、表示が０である場合、オフセットは、ｃ ＝ ０として設定され得る。すなわち、周波数に間隔がない。図６に示すように、ＲＭＳＩ ＣＯＲＥＳＥＴと関連するＳＳブロック間、周波数領域での間隔がない。図７に示すように、表示が1、つまりｃ = 1の場合、ＲＭＳＩ ＣＯＲＥＳＥＴおよび関連するＳＳブロックは端末の最小帯域幅全体を占め、それらの間の周波数領域の間隔は最大になる。
【００６６】
要約すると、図８を参照すると、本出願の実施形態によって提供されるリソース構成方法は、以下のステップを備える。
【００６７】
Ｓ１０１：残りの最小システム情報制御リソース集合および関連する同期情報ブロックが、周波数分割多重モードで同じビームを占有することを決定する。
【００６８】
Ｓ１０２：残りの最小システム情報制御リソース集合および関連する同期情報ブロックの構成パラメータを決定する。各同期情報ブロックバースト集合内のすべての同期情報ブロックに関連する残りの最小システム情報制御リソース集合の構成パラメータは、同じである。
【００６９】
本出願の実施形態によって提供される方法は、ネットワーク側で実行されても、端末側で実行されてもよく、特定の実行主体は限定されないことに留意されたい。
【００７０】
この方法では、残りの最小システム情報制御リソース集合および関連する同期情報ブロックが、周波数分割多重モードで同じビームを占有することを決定し、残りの最小システム情報制御リソース集合および関連する同期情報ブロックの構成パラメータを決定し、各同期情報ブロックバースト集合内のすべての同期情報ブロックに関連する残りの最小システム情報制御リソース集合の構成パラメータは、同じである。それにより、残りの最小システム情報制御リソース集合および関連する同期情報ブロックが周波数分割多重モードで同じビームを占有する場合に、残りの最小システム情報制御リソース集合の構成がより柔軟になり、より多くのアプリケーションシナリオに適用できる。
【００７１】
任意選択で、前記残りの最小システム情報制御リソース集合の構成パラメータは、以下の１つまたは組み合わせを含む：
◎残りの最小システム情報制御リソース集合によって占有された帯域幅
◎残りの最小システム情報制御リソース集合周波数領域位置
◎残りの最小システム情報制御リソース集合によって占有された連続または不連続の時間領域シンボルの数
◎前記残りの最小システム情報制御リソース集合の時間領域位置。
【００７２】
任意選択で、前記残りの最小システム情報制御リソース集合の時間領域位置は、関連する同期情報ブロックに関する相対オフセット値である。
【００７３】
任意選択で、前記残りの最小システム情報制御リソース集合の時間領域開始位置は、関連する同期情報ブロックの開始シンボルと揃えられるか、または、前記残りの最小システム情報制御リソース集合の時間領域終了位置は、関連する同期情報ブロックの終了シンボルと揃えられる。
【００７４】
任意選択で、前記構成された残りの最小システム情報制御リソース集合および関連する同期情報ブロックの周波数領域位置は、次の関係のいずれかを満たす：
◎前記構成された残りの最小システム情報制御リソース集合および関連する同期情報ブロックによって共有される中心周波数領域位置であり、かつ前記構成された残りの最小システム情報制御リソース集合は２つの部分に分割され、関連する同期情報ブロック上下に対称的に分散される。
◎前記構成された残りの最小システム情報制御リソース集合全体の周波数領域位置は、関連する同期情報ブロックの周波数領域位置の下にある。
◎前記構成された残りの最小システム情報制御リソース集合全体の周波数領域位置は、関連する同期情報ブロックの周波数領域位置の上にある。
【００７５】
任意選択で、前記残りの最小システム情報制御リソース集合によって占有された連続または不連続の時間領域シンボルの数は、１、２、３、４、６または８である。
【００７６】
任意選択で、前記残りの最小システム情報制御リソース集合占有帯域幅によって占有される帯域幅は、以下の集合：{４８, ７２, ９６}、{２４, ３６, ４８}、{１６, ２４, ３２}、{１２, １８, ２４}、{８, １２, １６}および{６, ９, １２}のうちのいずれか１つである。
【００７７】
上記の実施形態の表２に示す内容は、残りの最小システム情報制御リソース集合によって占有された連続または不連続の時間領域シンボルの数と、残りの最小システム情報制御リソース集合占有帯域幅との組み合わせとしてのみ機能することに留意されたい。本願の実施形態は、表２に示される組み合わせに限定されない。実際の需要に従って、異なる残りの最小システム情報制御リソース集合によって占有された連続または不連続の時間領域シンボルの数は、異なる残りの最小システム情報制御リソース集合占有帯域幅に対応し得る。
【００７８】
任意選択で、前記残りの最小システム情報制御リソース集合および関連する同期情報ブロックの周波数領域位置相対オフセット粒度は所定値である。
【００７９】
任意選択で、前記相対オフセット粒度は、異なる周波数帯域または周波数範囲において異なる値を有する。
【００８０】
任意選択で、前記所定値は、ゼロ以上の数値であり、すなわち、上記の実施形態におけるｃの値は、０であってもよく、または実際の値に特に依存する０より大きい別の値であってもよい。
【００８１】
図９を参照すると、本発明の実施形態によって提供されるリソース構成装置は、
プログラム命令を格納するように構成されたメモリ５２０と、
前記メモリに格納されているプログラム命令を呼び出し、得られたプログラムに従って、以下のプロセスを実行するように構成されたプロセッサ５００と、プロセッサ５００の制御下でデータを送受信するように構成される送受信機５１０とを備える。
【００８２】
前記プロセッサ５００は、残りの最小システム情報制御リソース集合および関連する同期情報ブロックが、周波数分割多重モードで同じビームを占有することを決定する。
【００８３】
残りの最小システム情報制御リソース集合および関連する同期情報ブロックの構成パラメータを決定し、各同期情報ブロックバースト集合内のすべての同期情報ブロックに関連する残りの最小システム情報制御リソース集合の構成パラメータは、同じである。
【００８４】
任意選択で、前記残りの最小システム情報制御リソース集合の構成パラメータは、以下の１つまたは組み合わせを含む：
◎残りの最小システム情報制御リソース集合によって占有された帯域幅
◎残りの最小システム情報制御リソース集合周波数領域位置
◎残りの最小システム情報制御リソース集合によって占有された連続または不連続の時間領域シンボルの数
◎前記残りの最小システム情報制御リソース集合の時間領域位置。
【００８５】
任意選択で、前記残りの最小システム情報制御リソース集合の時間領域位置は、関連する同期情報ブロックに関する相対オフセット値である。
【００８６】
任意選択で、前記残りの最小システム情報制御リソース集合の時間領域開始位置は、関連する同期情報ブロックの開始シンボルと揃えられるか、または、前記残りの最小システム情報制御リソース集合の時間領域終了位置は、関連する同期情報ブロックの終了シンボルと揃えられる。
【００８７】
任意選択で、前記構成された残りの最小システム情報制御リソース集合および関連する同期情報ブロックの周波数領域位置は、次の関係のいずれかを満たす：
◎前記構成された残りの最小システム情報制御リソース集合および関連する同期情報ブロックによって共有される中心周波数領域位置であり、かつ前記構成された残りの最小システム情報制御リソース集合は２つの部分に分割され、関連する同期情報ブロック上下に対称的に分散される。
◎前記構成された残りの最小システム情報制御リソース集合全体の周波数領域位置は、関連する同期情報ブロックの周波数領域位置の下にある。
◎前記構成された残りの最小システム情報制御リソース集合全体の周波数領域位置は、関連する同期情報ブロックの周波数領域位置の上にある。
【００８８】
任意選択で、前記残りの最小システム情報制御リソース集合によって占有された連続または不連続の時間領域シンボルの数は、１、２、３、４、６または８である。
【００８９】
任意選択で、前記残りの最小システム情報制御リソース集合占有帯域幅によって占有される帯域幅は、以下の集合：{４８, ７２, ９６}、{２４, ３６, ４８}、{１６, ２４, ３２}、{１２, １８, ２４}、{８, １２, １６}および{６, ９, １２}のうちのいずれか１つである。
【００９０】
任意選択で、前記残りの最小システム情報制御リソース集合および関連する同期情報ブロックの周波数領域位置相対オフセット粒度は所定値である。
【００９１】
任意選択で、前記相対オフセット粒度は、異なる周波数帯域または周波数範囲において異なる値を有する。
【００９２】
任意選択で、前記所定値は、ゼロ以上の数値である。
【００９３】
ここで、図９において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バスアーキテクチャ及び通常の処理を管理し、メモリ５２０は、プロセッサ５００が動作する際に利用するデータを記憶することができる。
【００９４】
プロセッサ５００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）とすることが出来る。
【００９５】
なお、図９に示す装置は、ネットワーク側の装置であってもよいし、端末側の装置であってもよい。実際の要求に応じて、図９に示されていない他の装置をさらに追加および設定することができ、その詳細はここでは説明されない。
【００９６】
図１０を参照すると、本出願の実施形態によって提供される別のリソース構成装置は、
残りの最小システム情報制御リソース集合および関連する同期情報ブロックが、周波数分割多重モードで同じビームを占有することを決定するように構成された第１のユニット１１と、
残りの最小システム情報制御リソース集合および関連する同期情報ブロックの構成パラメータを決定するように構成された第２のユニット1２とを備える。
【００９７】
各同期情報ブロックバースト集合内のすべての同期情報ブロックに関連する残りの最小システム情報制御リソース集合の構成パラメータは、同じである。
【００９８】
第１のユニットは、メモリであり得、第２のユニットは、プロセッサであり得る。すなわち、本出願の実施形態によって提供される装置は、図９に示される構造に限定されず、送受信機およびバスインターフェースなどのコンポーネントを含まなくてもよい。
【００９９】
本願の実施形態は、上述のコンピューティング装置によって使用されるコンピュータプログラム命令を格納するように構成されたコンピュータ記憶媒体を提供し、コンピュータプログラム命令は、上述のリソース構成方法を実行するためのプログラムを含む。
【０１００】
前記コンピュータ記憶媒体は、コンピュータにアクセス可能な任意の利用可能な媒体またはデータ記憶装置であり得る。磁気メモリ（例えば、フロッピーディスク、ハードディスク、磁気テープ、光磁気ディスク（ＭＯ）など）、光学メモリ（例えば、ＣＤ、ＤＶＤ、ＢＤ、ＨＶＤ等）、半導体メモリ（例えば、ＲＯＭ、ＥＰＲＯＭ、ＥＥＰＲＯＭ、不揮発性メモリ（ＮＡＮＤ ＦＬＡＳＨ（登録商標））、ソリッドステートディスク（ＳＳＤ））等を含むがこれらに限定されない。
【０１０１】
本願の実施形態によって提供される方法は、端末装置に適用することができ、ネットワーク装置にも適用することができる。
【０１０２】
ここで、端末装置は、ユーザ機器（Ｕｓｅｒ Ｅｑｕｉｐｍｅｎｔ，略して「ＵＥ」）、移動局（Ｍｏｂｉｌｅ Ｓｔａｔｉｏｎ，略して「ＭＳ」）、移動体端末（Ｍｏｂｉｌｅ Ｔｅｒｍｉｎａｌ，略して「ＭＴ」）などと呼ぶこともできる。オプションとして、端末は、無線アクセスネットワーク（ｒａｄｉｏ Ａｃｃｅｓｓ Ｎｅｔｗｏｒｋ， ＲＡＮ）を介して1つ以上のコアネットワークと通信する機能を持つことができる。例えば、端末は、携帯電話（または「セルラー」電話と呼ばれる）、または携帯機能を備えたコンピュータとすることができる。例えば、端末は、携帯型、ポケット型、ハンドヘルド型、コンピュータ組み込み型、または車両搭載型モバイル装置であってもよい。
【０１０３】
ネットワーク装置は、基地局（例えば、アクセスポイント）であり得、これは、エアインターフェース上の１つ以上のセクターを介して無線端末と通信するアクセスネットワーク内の装置を意味する。基地局は、受信されたエアフレームとＩＰパケット間の相互変換を実行するために使用され、無線端末と残りのアクセスネットワーク間のルーターとして使用される。基地局はさらに、エアインターフェースの属性管理を調整することができる。例えば、基地局は、ＧＳＭまたはＣＤＭＡにおける基地トランシーバ局（ＢＴＳ）であり得るか、またはＷＣＤＭＡ（登録商標）におけるノードＢであり得るか、またはＬＴＥにおける進化型ノードＢ（ノードＢまたはｅＮＢまたはｅノードＢ）であり得る。これは、本発明の実施形態では限定されない。
【０１０４】
要約すると、本願の実施形態では、ＲＭＳＩ ＣＯＲＥＳＥＴ構成情報のビットに対する制限を考慮して、ＲＭＳＩ ＣＯＲＥＳＥＴは、可能な限りより柔軟に構成され、その結果、ネットワークを展開することが許可され得る。さまざまなシナリオの要件を満たすために、さまざまなシナリオをより柔軟に満足させることができる。
【０１０５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１０６】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム命令を実行し、フロー図における一つ或いは複数のフローおよび／またはブロック図における一つ或いは複数のブロックに指定する機能を実現する。
【０１０７】
これらのコンピュータプログラム命令は、又、コンピュータ或いは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つ或いは複数のフローおよび／またはブロック図における一つ或いは複数のブロックに指定する機能を実現する。
【０１０８】
これらコンピュータプログラム命令はさらに、コンピュータ或いは他のプログラム可能なデータ処理装置設備に実装もできる。コンピュータプログラム命令が実装されたコンピュータ或いは他のプログラム可能設備は、一連の操作ステップを実行することによって、関連の処理を実現し、コンピュータ或いは他のプログラム可能な設備において実行される命令によって、フロー図における一つ或いは複数のフローおよび／またはブロック図における一つ或いは複数のブロックに指定する機能を実現する。
【０１０９】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１１０】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１１１】
11  第１のユニット
12  第２のユニット
500  プロセッサ
510  送受信機
520  メモリ
【図１】
2021503235.tif 000005
【図２】
2021503235.tif 000006
【図３】
2021503235.tif 000007
【図４】
2021503235.tif 000008
【図５】
2021503235.tif 000009
【図６】
2021503235.tif 000010
【図７】
2021503235.tif 000011
【図８】
2021503235.tif 000012
【図９】
2021503235.tif 000013
【図１０】
2021503235.tif 000014
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
残りの最小システム情報制御リソース集合および関連する同期情報ブロックが、周波数分割多重モードで同じビームを占有することを決定するステップと、
残りの最小システム情報制御リソース集合および関連する同期情報ブロックの構成パラメータを決定するステップとを備え、
各同期情報ブロックバースト集合内のすべての同期情報ブロックに関連する残りの最小システム情報制御リソース集合の構成パラメータは、同じであることを特徴とするリソース構成方法。
【請求項２】
前記残りの最小システム情報制御リソース集合の構成パラメータは、
残りの最小システム情報制御リソース集合によって占有された帯域幅と、
残りの最小システム情報制御リソース集合周波数領域位置と、
残りの最小システム情報制御リソース集合によって占有された連続または不連続の時間領域シンボルの数と、
前記残りの最小システム情報制御リソース集合の時間領域位置とのうちの１つまたは組み合わせを含むことを特徴とする請求項１に記載のリソース構成方法。
【請求項３】
前記残りの最小システム情報制御リソース集合の時間領域位置は、関連する同期情報ブロックに関する相対オフセット値であることを特徴とする請求項２に記載のリソース構成方法。
【請求項４】
前記残りの最小システム情報制御リソース集合の時間領域開始位置は、関連する同期情報ブロックの開始シンボルと揃えられるか、または、前記残りの最小システム情報制御リソース集合の時間領域終了位置は、関連する同期情報ブロックの終了シンボルと揃えられることを特徴とする請求項３に記載のリソース構成方法。
【請求項５】
前記構成された残りの最小システム情報制御リソース集合および関連する同期情報ブロックの周波数領域位置は、次の関係のいずれかを満たす：
前記構成された残りの最小システム情報制御リソース集合および関連する同期情報ブロックによって共有される中心周波数領域位置であり、かつ前記構成された残りの最小システム情報制御リソース集合は２つの部分に分割され、関連する同期情報ブロック上下に対称的に分散され、
前記構成された残りの最小システム情報制御リソース集合全体の周波数領域位置は、関連する同期情報ブロックの周波数領域位置の下にあり、
前記構成された残りの最小システム情報制御リソース集合全体の周波数領域位置は、関連する同期情報ブロックの周波数領域位置の上にあることを特徴とする請求項１に記載のリソース構成方法。
【請求項６】
前記残りの最小システム情報制御リソース集合によって占有された連続または不連続の時間領域シンボルの数は、１、２、３、４、６または８であることを特徴とする請求項２に記載のリソース構成方法。
【請求項７】
前記残りの最小システム情報制御リソース集合占有帯域幅によって占有される帯域幅は、以下の集合{４８, ７２, ９６}、{２４, ３６, ４８}、{１６, ２４, ３２}、{１２, １８, ２４}、{８, １２, １６}および{６, ９, １２}のうちのいずれか１つであることを特徴とする請求項２に記載のリソース構成方法。
【請求項８】
前記残りの最小システム情報制御リソース集合および関連する同期情報ブロックの周波数領域位置相対オフセット粒度は所定値であることを特徴とする請求項１に記載のリソース構成方法。
【請求項９】
前記相対オフセット粒度は、異なる周波数帯域または周波数範囲において異なる値を有することを特徴とする請求項８に記載のリソース構成方法。
【請求項１０】
前記所定値は、ゼロ以上の数値であることを特徴とする請求項８に記載のリソース構成方法。
【請求項１１】
残りの最小システム情報制御リソース集合および関連する同期情報ブロックが、周波数分割多重モードで同じビームを占有することを決定するように構成された第１のユニットと、
残りの最小システム情報制御リソース集合および関連する同期情報ブロックの構成パラメータを決定するように構成された第２のユニットとを備え、
各同期情報ブロックバースト集合内のすべての同期情報ブロックに関連する残りの最小システム情報制御リソース集合の構成パラメータは、同じであることを特徴とするリソース構成装置。
【請求項１２】
前記残りの最小システム情報制御リソース集合の構成パラメータは、
残りの最小システム情報制御リソース集合によって占有された帯域幅と、
残りの最小システム情報制御リソース集合周波数領域位置と、
残りの最小システム情報制御リソース集合によって占有された連続または不連続の時間領域シンボルの数と、
前記残りの最小システム情報制御リソース集合の時間領域位置とのうちの１つまたは組み合わせを含むことを特徴とする請求項１１に記載のリソース構成装置。
【請求項１３】
前記残りの最小システム情報制御リソース集合の時間領域位置は、関連する同期情報ブロックに関する相対オフセット値であることを特徴とする請求項１２に記載のリソース構成装置。
【請求項１４】
前記構成された残りの最小システム情報制御リソース集合および関連する同期情報ブロックの周波数領域位置は、次の関係のいずれかを満たす：
前記構成された残りの最小システム情報制御リソース集合および関連する同期情報ブロックによって共有される中心周波数領域位置であり、かつ前記構成された残りの最小システム情報制御リソース集合は２つの部分に分割され、関連する同期情報ブロック上下に対称的に分散され、
前記構成された残りの最小システム情報制御リソース集合全体の周波数領域位置は、関連する同期情報ブロックの周波数領域位置の下にあり、
前記構成された残りの最小システム情報制御リソース集合全体の周波数領域位置は、関連する同期情報ブロックの周波数領域位置の上にあることを特徴とする請求項１１に記載のリソース構成装置。
【請求項１５】
コンピュータに請求項１から請求項１０のいずれか一項に記載の方法を実行させるように構成されたコンピュータ実行可能命令を記憶することを特徴とする、コンピュータ記憶媒体。
【国際調査報告】
2021503235.tif 000015
2021503235.tif 000016
2021503235.tif 000017
2021503235.tif 000018
2021503235.tif 000019
2021503235.tif 000020